(57)【要約】  鉄道車両及びその端壁であって、該端壁は外枠（１１）および端壁本体（１２）を含み、前記外枠（１１）は、鉄道車両の車体に固定接続されるためのものであり、前記端壁本体（１２）と前記外枠（１１）とは締付部材により取り外し可能に接続され、前記端壁本体（１２）はハニカムパネルであり、前記ハニカムパネルは、２つのパネル（１２１）、２つのパネル（１２１）の間に設けられたハニカム構造（１２２）、および２つの前記パネル（１２１）の外周部を封じ込むエッジバンディング形材を含む。該端壁は、外枠（１１）と端壁本体（１２）との分離型設計であり、車内の大型モジュールの装着および調達輸送を便利にさせ、同時に、その本体構造がアルミハニカムパネル構造を採用するので、車体の軽量化の設計要求を満たすことができる。
2021516643.tif 000002
【特許請求の範囲】
【請求項１】
外枠（１１）および端壁本体（１２）を含み、前記外枠（１１）は、鉄道車両の車体に固定接続されるためのものであり、前記端壁本体（１２）と前記外枠（１１）とは締付部材により取り外し可能に接続され、前記端壁本体（１２）はハニカムパネルであり、前記ハニカムパネルは、２つのパネル（１２１）、２つのパネル（１２１）の間に設けられたハニカム構造（１２２）、および２つの前記パネル（１２１）の外周部を封じ込むエッジバンディング形材（１２３）を含む、ことを特徴とする鉄道車両の端壁。
【請求項２】
前記締付部材は具体的にボルトセット（１３）であり、前記ボルトセット（１３）はＴ型ナット（１３１）およびボルト（１３２）を含み、前記Ｔ型ナット（１３１）は前記外枠（１１）に固定され、前記外枠（１１）および前記端壁本体（１２）はともに、前記Ｔ型ナット（１３１）のねじ孔と貫通するように連通する装着孔を有し、前記ボルト（１３２）は、前記端壁本体（１２）、前記外枠（１１）の装着孔を順次通って前記Ｔ型ナット（１３１）にねじ接続される、ことを特徴とする請求項１に記載の端壁。
【請求項３】
前記Ｔ型ナット（１３１）はねじ（１３３）により前記外枠（１１）に固定される、ことを特徴とする請求項２に記載の端壁。
【請求項４】
前記ボルト（１３２）と前記端壁本体（１２）との間に、ワッシャー（１３４）がさらに設けられる、ことを特徴とする請求項２に記載の端壁。
【請求項５】
前記外枠（１１）の一方側に、車体の縦方向に沿って延びる第１支持梁（１１１）が形成され、前記第１支持梁（１１１）と前記外枠（１１）とは外風防材（１８）の装着空間を形成するとともに、前記第１支持梁（１１１）は前記外風防材（１８）に接続される装着インターフェイスを有する、ことを特徴とする請求項１〜４のいずれか１項に記載の端壁。
【請求項６】
前記外枠（１１）の他方側に、車体の縦方向に沿って延びる第２支持梁（１１２）が形成され、前記第２支持梁（１１２）は車体に接続されるためのものである、ことを特徴とする請求項５に記載の端壁。
【請求項７】
前記外枠（１１）の前記第２支持梁（１１２）に近接する一方側に、車内へ延びって前記第２支持梁（１１２）に対して垂直となる延び梁（１１３）がさらに設けられる、ことを特徴とする請求項５に記載の端壁。
【請求項８】
前記端壁本体（１２）には、前記外風防材（１８）のワイヤーロープを固定するための装着スタンドインターフェイス（１４）がさらに設けられる、ことを特徴とする請求項５に記載の端壁。
【請求項９】
内風防材（１９）の接続インターフェイスを形成するように、前記端壁本体（１２）の前記エッジバンディング形材（１２３）にインサートナット（１５）が予め埋め込まれる、ことを特徴とする請求項１〜４のいずれか１項に記載の端壁。
【請求項１０】
前記端壁本体（１２）には、外部吊り金具接続インターフェイス（１６）がさらに設けられる、ことを特徴とする請求項１〜４のいずれか１項に記載の端壁。
【請求項１１】
前記端壁本体（１２）内に形材部材（１６１）が予め埋め込まれ、前記形材部材（１６１）に鋼板（１６２）が内蔵され、前記鋼板（１６２）は、吊りボルト（１６３）とねじ接続するねじ孔を有し、前記形材部材（１６１）は、前記ねじ孔と貫通するように連通する通孔を有し、前記ねじ孔は、前記外部吊り金具接続インターフェイス（１６）を形成する、ことを特徴とする請求項１０に記載の端壁。
【請求項１２】
前記鋼板（１６２）の表面にクロム酸亜鉛プライマーがコーティングされる、ことを特徴とする請求項１１に記載の端壁。
【請求項１３】
前記ハニカムパネルは具体的にアルミハニカムパネルである、ことを特徴とする請求項１〜４のいずれか１項に記載の端壁。
【請求項１４】
前記端壁本体（１２）の中部に、門枠（１７）がさらに固定配置される、ことを特徴とする請求項１〜４のいずれか１項に記載の端壁。
【請求項１５】
前記門枠（１７）と前記端壁本体（１２）とはリベット（１７１）により固定接続される、ことを特徴とする請求項１４に記載の端壁。
【請求項１６】
車体、および車体の端部に位置する端壁を含む鉄道車両であって、前記端壁は、請求項１〜１５のいずれか１項に記載の端壁であり、前記外枠（１１）は前記車体に固定接続される、ことを特徴とする鉄道車両。
【発明の詳細な説明】
【技術分野】
【０００１】
本出願は２０１８年０６月０４日にて中国特許庁に提出され、出願番号が２０１８１０５６４６６１．５であって出願名称が「鉄道車両及びその端壁」である、および出願番号が２０１８２０８５９７５６．５であって出願名称が「鉄道車両及びその端壁」である中国特許出願の優先権を主張し、その全ての内容が援用されることで本出願に結合される。
【０００２】
本出願は鉄道車両という技術的分野に関わり、特に鉄道車両及びその端壁に関わる。
【背景技術】
【０００３】
鉄道車両の車体は一般的に、ベースフレーム、側壁、天板および端壁からなり、端壁は車体の端部に位置し、乗客が通過するように中間に門字状空間を有する。端壁はさらに、内、外風防材を接続する作用を奏する。
【０００４】
現在、鉄道車両の端壁は、一体型構造であることが多く、車体の突合せ溶接が終了したあと、トイレ、スイッチボックス等の車内の大型モジュールの全体的な調達輸送および装着を行う必要があり、一体型構造の端壁は、車内の大型モジュールの装着および調達輸送のための大きい出入り空間を事前に確保することができない。なお、端壁構造は重量が重いので、車体の軽量化の要求を満たすことができない。
【０００５】
これに鑑み、如何に車内の大型モジュールの装着および調達輸送を便利にさせると同時に、車体の軽量化の設計要求を満たすことができるように、従来の端壁構造を改善するかは、当業者が現在、解決する必要がある技術的課題である。
【発明の概要】
【発明が解決しようとする課題】
【０００６】
本出願は、鉄道車両及びその端壁を提供することを目的とし、該端壁は、外枠と端壁本体との分離型設計であり、車内の大型モジュールの装着および調達輸送を便利にさせ、同時に、その本体構造がアルミハニカムパネル構造を採用するので、車体の軽量化の設計要求を満たすことができる。
【課題を解決するための手段】
【０００７】
上記技術的課題を解決するために、本出願は、外枠および端壁本体を含み、前記外枠は、鉄道車両の車体に固定接続されるためのものであり、前記端壁本体と前記外枠とは締付部材により取り外し可能に接続され、前記端壁本体はハニカムパネルであり、前記ハニカムパネルは、２つのパネル、２つのパネルの間に設けられたハニカム構造、および２つの前記パネルの外周部を封じ込むエッジバンディング形材を含む、鉄道車両の端壁を提供する。
【０００８】
本出願により提供される端壁は分離型構造であり、外枠は車体に接続されるためのものであり、端壁本体と外枠とは取り外し可能に接続され、このようにすれば、車体の突合せ溶接が完成されたあと、車室内部の大型モジュール、例えば、トイレモジュールまたは電気品ボックスモジュールを装着する必要がある場合、締付部材を取り外すことで端壁本体を外枠から分離する必要があるだけであり、装着が完成されたあと、さらに締付部材により端壁本体を外枠に固定し、このような構造設計は着脱が便利であり、車内の大型モジュールの装着および調達輸送に寄与し、同時に、端壁本体はハニカムパネルであり、その内部のハニカム構造が端壁の重量を大幅に軽減することができるので、車体の軽量化の設計要求を満たす。
【０００９】
上記のような端壁によれば、前記締付部材は具体的にボルトセットであり、前記ボルトセットはＴ型ナットおよびボルトを含み、前記Ｔ型ナットは前記外枠に固定され、前記外枠および前記端壁本体はともに、前記Ｔ型ナットのねじ孔と貫通するように連通する装着孔を有し、前記ボルトは、前記端壁本体、前記外枠の装着孔を順次通って前記Ｔ型ナットにねじ接続される。
【００１０】
上記のような端壁によれば、前記Ｔ型ナットはねじにより前記外枠に固定される。
【００１１】
上記のような端壁によれば、前記ボルトと前記端壁本体との間に、ワッシャーがさらに設けられる。
【００１２】
上記のような端壁によれば、前記外枠の一方側に、車体の縦方向に沿って延びる第１支持梁が形成され、前記第１支持梁と前記外枠とは外風防材の装着空間を形成するとともに、前記第１支持梁は前記外風防材に接続される装着インターフェイスを有する。
【００１３】
上記のような端壁によれば、前記外枠の他方側に、車体の縦方向に沿って延びる第２支持梁が形成され、前記第２支持梁は車体に接続されるためのものである。
【００１４】
上記のような端壁によれば、前記外枠の前記第２支持梁に近接する一方側に、車内へ延びって前記第２支持梁に対して垂直となる延び梁１１３がさらに設けられる。
【００１５】
上記のような端壁によれば、前記端壁本体は、前記外風防材のワイヤーロープを固定するための装着スタンドインターフェイスがさらに設けられる。
【００１６】
上記のような端壁によれば、内風防材の接続インターフェイスを形成するように、前記端壁本体の前記エッジバンディング形材にインサートナットが予め埋め込まれる。
【００１７】
上記のような端壁によれば、前記端壁本体は、外部吊り金具接続インターフェイスがさらに設けられる。
【００１８】
上記のような端壁によれば、前記端壁本体内に形材部材が予め埋め込まれ、前記形材部材に鋼板が内蔵され、前記鋼板は、ボルトとねじ接続するねじ孔を有し、前記形材部材は、前記ねじ孔と貫通するように連通する通孔を有し、前記ねじ孔は、前記外部吊り金具接続インターフェイスを形成する。
【００１９】
上記のような端壁によれば、前記鋼板の表面にクロム酸亜鉛プライマーがコーティングされる。
【００２０】
上記のような端壁によれば、前記ハニカムパネルは具体的にアルミハニカムパネルである。
【００２１】
上記のような端壁によれば、前記端壁本体の中部に、門枠がさらに固定配置される。
【００２２】
上記のような端壁によれば、前記門枠と前記端壁本体とはリベットにより固定接続される。
【００２３】
本出願は、車体、および車体の端部に位置する端壁を含む鉄道車両であって、前記端壁は、上記のいずれか１項に記載の端壁であり、前記外枠は前記車体に固定接続される鉄道車両をさらに提供する。
【００２４】
上記端壁が上記技術的効果を有するので、該端壁を含む鉄道車両も同様な技術的効果を有し、ここでは重複して論述しない。
【図面の簡単な説明】
【００２５】
【図１】本出願により提供される端壁の一つの具体的な実施例の部分正面図である。
【図２】図１におけるＡ−Ａ矢視の断面模式図である。
【図３】図２におけるＩ部位の部分拡大図である。
【図４】図１におけるＢ−Ｂ矢視の断面模式図である。
【図５】図１における端壁の外枠と端壁本体との接続構造模式図である。
【図６】図１における端壁の外部吊り金具接続インターフェイスが設置されている箇所の構造模式図である。
【発明を実施するための形態】
【００２６】
当業者がよりよく本出願の方案を理解するために、以下は図面と具体的な実施形態を結合して、本出願をさらに詳しく説明する。
【００２７】
理解を便利にさせて記載を簡潔にさせるために、以下、鉄道車両及びその端壁を結合して一括して説明し、有益効果の部分は重複して論述しない。
【００２８】
鉄道車両の車体は通常、ベースフレーム、側壁、ルーフおよび端壁を含み、端壁は車体の端部に位置し、理解するように、端壁は、車体のルーフ、側壁およびルーフと側壁との間の曲線移行段と接続する必要がある。
【００２９】
本文において、重点的に鉄道車両の端壁に対して構造改善を行い、以下、端壁構造について詳しく説明する。
【００３０】
図１〜図６を参照し、図１は本出願により提供される端壁の一つの具体的な実施例の部分正面図であり、図２は図１におけるＡ−Ａ矢視の断面模式図であり、図３は図２におけるＩ部位の部分拡大図であり、図４は図１におけるＢ−Ｂ矢視の断面模式図であり、図５は図１における端壁の外枠と端壁本体との接続構造模式図であり、図６は図１における端壁の外部吊り金具接続インターフェイスが設置されている箇所の構造模式図である。
【００３１】
該実施例において、端壁は外枠１１および端壁本体１２を含み、外枠１１は車体に接続されるためのものであり、理解するように、部位の異なりに応じて、外枠１１は車体のルーフ２０または側壁２１に接続され、端壁本体１２と外枠１１とは締付部材により取り外し可能に接続される。
【００３２】
そのうち、端壁本体１２はハニカムパネルであり、該ハニカムパネルは具体的に、２つのパネル１２１、２つのパネル１２１の間に設けられたハニカム構造１２２、および２つのパネル１２１の外周部を封じ込むエッジバンディング形材１２３を含む。
【００３３】
具体的には、エッジバンディング形材１２３とパネル１２１との間は溶接方式により固定することができ、安全で確実であり、より具体的には、摩擦攪拌溶接の方式を選択することで、入熱を減少して端壁本体１２の変形を防止することができる。
【００３４】
上述のように、該実施例により提供される端壁は分離構造として設けられ、外枠１１は車体に接続されるためのものであり、端壁本体１２と外枠１１とは取り外し可能に接続され、このようにすれば、車体の突合せ溶接が完成されたあと、車室内部の大型モジュール、例えば、トイレモジュールまたは電気品ボックスモジュールを装着する必要がある場合、締付部材を取り外すことで端壁本体１２を外枠１１から分離する必要があるだけであり、装着が完成されたあと、さらに締付部材により端壁本体１２を外枠１１に固定し、このような構造設計は着脱が便利であり、車内の大型モジュールの装着および調達輸送に寄与し、同時に、端壁本体１２はハニカムパネルであり、その内部のハニカム構造１２２が端壁の重量を大幅に軽減することができるので、車体の軽量化の設計要求を満たす。
【００３５】
そのうち、端壁と車体とを組み立てたあと、外枠１１は端壁の一部とする以外に、さらにルーフリブ、コーナーポストの一部を車体の耐力部材として形成し、車体の強度および剛度を増加することができる。
【００３６】
具体的な方案において、軽量化のレベルをさらに向上させるために、ハニカムパネルについてアルミハニカムパネルを選択できる。
【００３７】
具体的な方案において、外枠１１と端壁本体１２との間の締付部材はボルトセット１３であり、図５に示すように、該ボルトセット１３はＴ型ナット１３１およびボルト１３２を含み、Ｔ型ナット１３１は外枠１１に固定され、外枠１１および端壁本体１２はともに、Ｔ型ナット１３１のねじ孔と貫通するように連通する装着孔を有し、ボルト１３２は、端壁本体１２の装着孔、外枠１１の装着孔を順次通ってＴ型ナット１３１にねじ接続され、これにより、端壁本体１２と外枠１１とを固定接続する。
【００３８】
理解するように、Ｔ型ナット１３１は外枠１１に予め固定され、端壁本体１２を取り外す場合、Ｔ型ナット１３１を取り外す必要がなく、ボルト１３２を取り外す必要があるだけでよく、装着する場合にも、相応する位置にボルト１３２をねじ込む必要があるだけでよく、このような取り外し可能な接続方式は構造が簡単であり、操作しやすい。
【００３９】
そのうち、Ｔ型ナット１３１はねじ１３３により外枠１１に固定されることができる。
【００４０】
より具体的には、ボルト１３２の頭部と端壁本体１２との間にワッシャー１３４を設置し、これにより、ボルト１３２の締付力を向上させてボルト１３２のずるっこけることを防止してもよい。
【００４１】
具体的な方案において、外枠１１の一方側に、車体の縦方向に沿って延びる第１支持梁１１１が形成され、第１支持梁１１１と外枠１１とは外風防材１８の装着空間を形成し、図２〜図４に示すように、第１支持梁１１１は装着インターフェイスを有し、外風防材１８は第１支持梁１１１に乗り上げることができ、締付具（例えば、ボルト等）により外風防材１８と第１支持梁１１１とを接続する。
【００４２】
より具体的には、端壁本体１２に、外風防材１８のワイヤーロープを固定するために、装着スタンドインターフェイス１４がさらに設けられる。
【００４３】
これを基礎とし、外枠１１の他方側にさらに、車体の縦方向に沿って延びる第２支持梁１１２が形成され、第２支持梁１１２は車体に接続されるためのものである。
【００４４】
図２および図３に示すように、外枠１１のトップ位置において、外枠１１の第２支持梁１１２は車体のルーフ２０に接続されるためのものであり、第２支持梁１１２と外枠１１との間に、ルーフ２０が乗り上げる直角構造が形成され、ルーフ２０が第２支持梁１１２に乗り上げられた後、両者はリベットで固定接続されることができ、ルーフ２０と外枠１１の外側は溶接等の方式で固定することができる。
【００４５】
理解するように、第２支持梁１１２の外枠１１先端からの距離は、ルーフ２０の厚みに相当すべきである。
【００４６】
図４に示すように、外枠１１の側面位置において、外枠１１の第２支持梁１１２は、車体の側壁２１が接続するためのものであり、第２支持梁１１２と外枠１１との間に、側壁２１が乗り上げる直角構造が形成され、両者はリベットで固定接続されることができる。
【００４７】
同様に理解するように、第２支持梁１１２の外枠１１先端からの距離は、側壁２１の厚みに相当すべきである。
【００４８】
さらに、図３および図４に示すように、外枠１１の第２支持梁１１２に近接する一方側に、車内へ延びって第２支持梁１１２に対して垂直となる延び梁１１３がさらに設けられ、具体的に適用する場合、車型の異なりまたは生産等の原因により、第２支持梁１１２と外枠１１先端との距離は、必ずしも接続される車体部位の厚みにちょうど相当するとは限らなく、この場合、事前に加工形成された第２支持梁１１２を削り取り、適当な位置に延び梁１１３を折り曲がって、車体に接続される構造を形成することができ、理解するように、この場合、折り曲がった延び梁１１３は前記第２支持梁１１２に相当する。
【００４９】
具体的な方案において、図１および図２に示すように、内風防材１９の接続インターフェイスを形成するように、端壁本体１２のエッジバンディング形材１２３にインサートナット１５がさらに予め埋め込まれる。
【００５０】
具体的な方案において、端壁本体１２は、外部吊り金具接続インターフェイス１６がさらに設けられる。適用する中に、端壁本体１２に、実際の要求に応じて他の構造具を装着し、端壁本体１２がハニカムパネル構造であるので、直接に受け具として使用するのに適しなく、よって、外部吊り金具（例えば、外端門等）の装着要求を満たすように、端壁本体１２に外部吊り金具接続インターフェイス１６が設置される。
【００５１】
図６に示すように、具体的には、端壁本体１２内に形材部材１６１が予め埋め込まれ、形材部材１６１に鋼板１６２が内蔵され、該鋼板１６２は、吊りボルト１６３とねじ接続するねじ孔を有し、形材部材１６１は、ねじ孔と貫通するように連通する通孔を有し、該ねじ孔は、外部吊り金具接続インターフェイス１６を形成する。
【００５２】
理解するように、外部の吊り金具１６４は、端壁本体１２内に埋設された鋼板１６２に吊りボルト１６３により固定されることができる。
【００５３】
そのうち、形材部材１６１と端壁本体１２との間は、溶接方式で固定でき、具体的に摩擦攪拌溶接を選択するで入熱を減少させることができる。
【００５４】
そのうち、形材部材１６１について、アルミ形材を選択できる。
【００５５】
より具体的には、形材部材１６１と鋼板１６２との間に異なる金属の間の腐食が発生することを防止するように、鋼板１６２の表面にクロム酸亜鉛プライマーがコーティングされる。
【００５６】
端壁本体１２の中部に、人が通過する門構造が更に設けられ、端壁本体１２の中部に、門を装着するための門枠１７が固定配置される。具体的には、門枠１７は、リベット１７１により端壁本体１２に固定接続されることができる。
【００５７】
以上は、本出願により提供される鉄道車両及びその端壁をともに詳しく紹介した。本明細書において、具体的な例によって本出願の原理及び実施形態を説明して、以上の実施例に対する説明は、ただ本出願の方法及びその核心思想への理解に寄与する。指摘すべきのは、当業者にとって、本出願の原理から逸脱しない上に、本出願に対して若干の改良と修飾を行ってもよく、これら改良と修飾はいずれも本出願の請求項の保護範囲に該当している。
【符号の説明】
【００５８】
１１  ・・・外枠；
１１１  ・・・第１支持梁；
１１２  ・・・第２支持梁；
１１３  ・・・延び梁；
１２  ・・・端壁本体；
１２１  ・・・パネル；
１２２  ・・・ハニカム構造；
１２３  ・・・エッジバンディング形材；
１３  ・・・ボルトセット；
１３１  ・・・Ｔ型ナット；
１３２  ・・・ボルト；
１３３  ・・・ねじ；
１３４  ・・・ワッシャー；
１４  ・・・装着スタンドインターフェイス；
１５  ・・・インサートナット；
１６  ・・・外部吊り金具接続インターフェイス；
１６１  ・・・形材部材；
１６２  ・・・鋼板；
１６３  ・・・吊りボルト；
１６４  ・・・吊り金具；
１７  ・・・門枠；
１７１  ・・・リベット；
１８  ・・・外風防材；
１９  ・・・内風防材；
２０  ・・・ルーフ；
２１  ・・・側壁。
【図１】
2021516643.tif 000003
【図２】
2021516643.tif 000004
【図３】
2021516643.tif 000005
【図４】
2021516643.tif 000006
【図５】
2021516643.tif 000007
【図６】
2021516643.tif 000008
【国際調査報告】
2021516643.tif 000009
2021516643.tif 000010
2021516643.tif 000011
2021516643.tif 000012